(57)【要約】【課題】利便性が向上された照明制御装置を提供する。【解決手段】照明制御装置２０は、照明器具３０の点灯状態を遠隔操作するスイッチ部４０からの操作を検知する検知部２１と、検知部２１の検知結果、及び、端末装置５０から送信された制御情報に基づいて照明器具３０の点灯状態を制御する制御部２２と、を備える。制御情報には、スイッチ部４０に対応した、照明器具３０の点灯状態を示すシーン情報及びスライドショー情報の少なくとも一方、並びに、当該シーン情報又は当該スライドショー情報が示す点灯状態の再現に関する時間情報及び繰り返し情報の一方が含まれており、制御部２２は、検知部２１がスイッチ部４０からの操作を検知した場合、時間情報が示す時間又は繰り返し情報が示す繰り返し回数に達するまで、スイッチ部４０に対応したシーン情報又はスライドショー情報が示す点灯状態を照明器具３０に再現させる制御を行う。【選択図】図１
2018163780.tif 000002
【特許請求の範囲】
【請求項１】
端末装置から送信された制御情報に基づいて照明器具の点灯状態を制御する照明制御装置であって、
前記照明器具の前記点灯状態を遠隔操作する遠隔操作部からの操作を検知する検知部と、
前記検知部の検知結果、及び、前記制御情報に基づいて前記照明器具の前記点灯状態を制御する制御部と、を備え、
前記制御情報には、前記遠隔操作部に対応した、前記照明器具の前記点灯状態を示す第１シーン情報及び２以上のシーン情報が組み合わされた第１スライドショー情報の少なくとも一方、並びに、前記第１シーン情報及び前記第１スライドショー情報の少なくとも一方が示す点灯状態の再現に関する時間情報及び繰り返し情報の一方が含まれており、
前記制御部は、前記検知部が前記遠隔操作部からの操作を検知した場合、前記時間情報が示す時間又は前記繰り返し情報が示す繰り返し回数に達するまで、前記遠隔操作部に対応した前記第１シーン情報及び前記第１スライドショー情報の少なくとも一方が示す点灯状態を前記照明器具に再現させる第１の制御を行う
照明制御装置。
【請求項２】
前記時間情報は、前記検知部が前記遠隔操作部からの操作を検知してから前記第１シーン情報及び前記第１スライドショー情報の少なくとも一方が示す点灯状態を継続して再現する継続時間、又は、前記第１シーン情報及び前記第１スライドショー情報の少なくともが示す点灯状態の再現を終了する終了時刻を含む
請求項１に記載の照明制御装置。
【請求項３】
前記制御情報には、前記照明器具の前記点灯状態を示す第２シーン情報及び２以上のシーン情報が組み合わされた第２スライドショー情報の少なくとも一方と、前記第２シーン情報及び前記第２スライドショー情報の少なくとも一方が示す点灯状態の再現に関する時間情報とが対応付けられたスケジュール情報が含まれ、
前記制御部は、前記スケジュール情報が示す点灯状態を前記照明器具に再現させる第２の制御を行っているときに前記検知部が前記遠隔操作部からの操作を検知した場合、前記第２の制御に優先して前記第１の制御を行う
請求項１又は２に記載の照明制御装置。
【請求項４】
端末装置と、
照明器具と、
前記端末装置から送信された制御情報に基づいて前記照明器具の点灯状態を制御する請求項１〜３のいずれか１項に記載の照明制御装置と、を備える
照明システム。
【請求項５】
前記照明システムは、複数の照明器具を備え、
前記複数の照明器具は、前記端末装置により予め２以上のグループにグルーピングされており、
前記制御情報には、前記遠隔操作部が前記点灯状態を操作する対象であるグループに関する情報が含まれており、
前記制御部は、前記検知部が前記遠隔操作部からの操作を検知した場合、前記制御情報に含まれる前記グループに関する情報が示すグループに含まれる照明器具の前記点灯状態を制御する
請求項４に記載の照明システム。
【発明の詳細な説明】
【技術分野】
【０００１】
本発明は、照明制御装置及び当該照明制御装置を備える照明システムに関する。
【背景技術】
【０００２】
従来から、時間の経過とともに照明器具のオン及びオフ又は明るさを変化させる機能であるスケジュール機能を有する制御装置が知られている（例えば、特許文献１）。特許文献１には、壁スイッチにより照明器具の調光レベルを遷移させることが開示されている。
【先行技術文献】
【特許文献】
【０００３】
【特許文献１】特開２０１４−０１７５４２号公報
【発明の概要】
【発明が解決しようとする課題】
【０００４】
ところで、上記のような照明制御装置において、利便性が向上されることが望まれる。
【０００５】
そこで、本発明は、利便性が向上した照明制御装置及び照明システムを提供することを目的とする。
【課題を解決するための手段】
【０００６】
上記目的を達成するため、本発明の一態様に係る照明制御装置は、端末装置から送信された制御情報に基づいて照明器具の点灯状態を制御する照明制御装置であって、前記照明器具の前記点灯状態を遠隔操作する遠隔操作部からの操作を検知する検知部と、前記検知部の検知結果、及び、前記制御情報に基づいて前記照明器具の前記点灯状態を制御する制御部と、を備え、前記制御情報には、前記遠隔操作部に対応した、前記照明器具の前記点灯状態を示す第１シーン情報及び２以上のシーン情報が組み合わされた第１スライドショー情報の少なくとも一方、並びに、前記第１シーン情報及び前記第１スライドショー情報の少なくとも一方が示す点灯状態の再現に関する時間情報及び繰り返し情報の一方が含まれており、前記制御部は、前記検知部が前記遠隔操作部からの操作を検知した場合、前記時間情報が示す時間又は前記繰り返し情報が示す繰り返し回数に達するまで、前記遠隔操作部に対応した前記第１シーン情報及び前記第１スライドショー情報の少なくとも一方が示す点灯状態を前記照明器具に再現させる第１の制御を行う。
【０００７】
上記目的を達成するため、本発明の一態様に係る照明システムは、端末装置と、照明器具と、前記端末装置から送信された制御情報に基づいて前記照明器具の点灯状態を制御する上記に記載の照明制御装置と、を備える。
【発明の効果】
【０００８】
本発明の一態様に係る照明制御装置及び照明システムによれば、利便性を向上させることができる。
【図面の簡単な説明】
【０００９】
【図１】実施の形態に係る照明システムの機能構成を示すブロック図である。
【図２】実施の形態に係る制御情報の一例を示す図である。
【図３】実施の形態に係るシーン情報の一例を示す図である。
【図４】実施の形態に係るスライドショー情報の一例を示す図である。
【図５】実施の形態に係る照明制御装置がスケジュール情報が示す点灯状態を再現するときの動作の一例を示す図である。
【図６】実施の形態に係る点灯情報を生成する手順を示すフローチャートである。
【図７】実施の形態に係る照明制御装置の動作を示すフローチャートである。
【図８Ａ】実施の形態に係るスイッチが押下された場合のグループごとの照明器具の点灯状態を示す図である。
【図８Ｂ】実施の形態に係るスイッチが押下された場合のグループごとの照明器具の点灯状態を示す図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
以下、本実施の形態について、図１〜図８Ｂを参照しながら説明する。
【００１３】
［１．照明システムの構成］
まず、本実施の形態に係る照明システムの構成について、図１を参照しながら説明する。図１は、本実施の形態に係る照明システム１０の機能構成を示すブロック図である。
【００１４】
図１に示されるように、本実施の形態に係る照明システム１０は、照明制御装置２０と、複数の照明器具３０と、スイッチ部４０と、端末装置５０とを備える。当該照明システム１０では、スイッチ部４０は１以上のスイッチを有し、ユーザによりスイッチが操作されると、照明制御装置２０は複数の照明器具３０を当該スイッチに対応した点灯状態に制御する。なお、本実施の形態では、照明システム１０が６台の照明器具３０（照明器具３０ａ〜３０ｆ）を備える例について説明するが、照明システム１０が備える照明器具３０の数は特に限定されず、１台であってもよい。
【００１５】
照明システム１０は、複数の照明器具３０を、ユーザが照明制御装置２０を通じて一括して制御することができるシステムである。照明システム１０は、時間の経過とともに複数の照明器具３０の調光及び調色を変化させるスケジュール機能を有する。以下、照明システム１０の各構成要素について説明する。
【００１６】
［１−１．照明制御装置］
照明制御装置２０は、照明器具３０に調光率及び色温度を送信することにより照明器具３０の点灯状態を制御する制御装置である。調光率及び色温度は、予め端末装置５０から送信され照明制御装置２０が記憶している情報である。つまり、照明制御装置２０は、端末装置５０から送信された情報に基づいて、照明システム１０が備える照明器具３０の点灯状態を制御する。例えば、照明器具３０を全灯状態にする調光率は１００％、照明器具３０を消灯状態にする調光率は０％である。
【００１７】
照明制御装置２０は、照明器具３０とは別体の装置であり、照明制御装置２０自体は、照明機能を有しない。照明制御装置２０は、検知部２１と、制御部２２と、タイマ部２３と、通信部２４と、記憶部２５と、送信部２６とを備える。
【００１８】
検知部２１は、スイッチ部４０が操作されたことを検知する検知装置である。本実施の形態では、スイッチ部４０は、４つのスイッチ（例えば、スイッチ４０ａ〜スイッチ４０ｄ）を有する。検知部２１は、４つのスイッチのうちのどのスイッチが操作（例えば、押下）されたかを検知する。例えば、スイッチが操作されて通電したことを検知することで、スイッチが操作されたと検知してもよい。そして、検知部２１は、検知結果を制御部２２に出力する。
【００１９】
制御部２２は、照明制御装置２０の各種制御を行う制御装置である。制御部２２は、検知部２１がスイッチ部４０（スイッチ４０ａ〜スイッチ４０ｄ）の操作を検知した場合、検知部２１が検知したスイッチ４０ａ〜スイッチ４０ｄに応じて照明器具３０の点灯状態を制御する。詳細は後述するが、スイッチ４０ａ〜スイッチ４０ｄのそれぞれには、照明器具の集まりであるグループに関する情報及び当該グループに含まれる照明器具の点灯状態に関する情報（例えば、シーン情報又はスライドショー情報）が割り当てられている。言い換えると、スイッチ４０ａ〜スイッチ４０ｄそれぞれのグループに関する情報及び点灯状態に関する情報は、記憶部２５に記憶されている。制御部２２は、検知部２１がスイッチ（例えば、スイッチ４０ａ）の操作を検知すると、記憶部２５から操作されたスイッチ４０ａに対応するグループに関する情報、及び、シーン情報又はスライドショー情報を読み出し、グループに含まれる照明器具を読みだしたシーン情報又はスライドショー情報が示す調光率及び色温度に制御する。言い換えると、制御部２２は検知部２１の検知結果、及び、検知結果に対応するシーン情報又はスライドショー情報に基づいて照明器具３０の点灯状態を制御する。
【００２０】
なお、シーン情報とは、照明器具の調光率及び色温度を示す情報であり、スライドショー情報とは、複数のシーン情報が組み合わされた情報である。シーン情報及びスライドショー情報の詳細は後述するが、端末装置５０を介して取得され、記憶部２５に記憶されている情報である。さらに、記憶部２５には、シーン情報又はスライドショー情報と時間情報とが対応付けられたスケジュール情報も記憶されている。
【００２１】
制御部２２は、例えば、送信部２６を介して照明器具３０に調光率及び色温度を含む制御信号を送信することで、照明器具３０を制御する。
【００２２】
また、制御部２２は、ユーザからスケジュール情報に基づく点灯の指示を取得すると、当該指示に応じたスケジュール情報に基づいて照明器具３０の調光率及び色温度を制御する。具体的には、制御部２２は、スケジュール情報に基づく点灯の指示を取得すると、記憶部２５に記憶されたスケジュール情報を読み出し、タイマ部２３によって通知される現在時刻に対応するシーン情報又はスライドショー情報が示す調光率及び色温度を特定し、特定した調光率及び色温度に照明器具３０の点灯状態を制御する。例えば、スケジュール情報は、照明システム１０が備える複数の照明器具３０を一括で管理する情報である。なお、照明制御装置２０は、スケジュール情報に基づく点灯の指示を例えば端末装置５０から取得する。言い換えると、照明制御装置２０は、スケジュール情報に基づく点灯をスイッチ部４０の操作により取得しない。
【００２３】
さらに、制御部２２は、後述するスイッチ４０ａ〜スイッチ４０ｄのそれぞれが有する第１表示灯４１及び第２表示灯４２の点灯状態を照明器具３０の点灯状態に応じて制御する。第１表示灯４１及び第２表示灯４２は、照明器具３０の現在の点灯状態がシーン情報又はスライドショー情報に基づく点灯状態であるか、スケジュール情報に基づく点灯状態であるかを表示する表示部である。言い換えると、第１表示灯４１及び第２表示灯４２は、照明器具３０がスイッチ４０ａ〜スイッチ４０ｄの操作により点灯している否かを表示する。具体的には、第１表示灯４１及び第２表示灯４２は、それぞれ異なる発光色を発光する発光装置である。
【００２４】
制御部２２は、シーン情報又はスライドショー情報に基づいて（言い換えると、スイッチの操作に基づいて）照明器具３０を制御しているときには、第１表示灯４１を発光させ、かつ第２表示灯４２を消灯させる。また、制御部２２は、スケジュール情報に基づいて照明器具３０を制御しているときには、第２表示灯４２を発光させ、かつ第１表示灯４１を消灯させる。これにより、ユーザは、スイッチ４０ａ〜スイッチ４０ｄのそれぞれが有する第１表示灯４１及び第２表示灯４２の点灯状態（例えば、色の違い）を確認するだけで、照明器具３０がシーン情報及びスライドショー情報、又は、スケジュール情報のどちらに基づいて制御されているかを認識することができる。
【００２５】
例えば、制御部２２は、スイッチ４０ａの操作によりグループ１に含まれる照明器具３０ａ及び３０ｂがシーン情報１で点灯しており、グループ１以外の照明器具がスケジュール情報に基づいて点灯している場合、スイッチ４０ａの第１表示灯４１を点灯させ、かつスイッチ４０ａの第２表示灯４２を消灯させる。そして、スイッチ４０ｂ〜スイッチ４０ｄそれぞれの第１表示灯４１を消灯させ、かつスイッチ４０ｂそれぞれの第２表示灯４２を点灯させる。これにより、ユーザは、スイッチ４０ａに対応するグループ１に含まれる照明器具３０ａ及び３０ｂはシーン情報（例えば、シーン情報１）に基づいて点灯しており、それ以外の照明器具３０はスケジュール情報に基づいて点灯していることを、点灯部を確認するだけで認識できる。
【００２６】
制御部２２は、具体的には、マイクロコンピュータであるが、プロセッサまたは専用回路などにより実現されてもよい。
【００２７】
タイマ部２３は、現在時刻を計測し、制御部２２に通知する。タイマ部２３は、具体的には、汎用のタイマＩＣ（タイマ回路）、または、リアルタイムクロックＩＣなどである。なお、タイマ部２３は、制御部２２に内蔵されていてもよい。この場合、タイマ部２３は、例えば、オンチップオシレータである。タイマ部２３がオンチップオシレータである場合には、水晶振動子がさらに外付けされることにより、現在時刻の計測精度を高めることができる。
【００２８】
通信部２４は、端末装置５０からスイッチ部４０に対応した照明器具３０の点灯状態を示す点灯情報を受信する。なお、点灯情報は、制御情報の一例である。また、通信部２４は、端末装置５０から、シーン情報、スライドショー情報及びスケジュール情報のそれぞれを受信する。なお、シーン情報、スライドショー情報及びスケジュール情報は、それぞれ制御情報の一例である。つまり、通信部２４は、シーン情報、スライドショー情報、スケジュール情報及び点灯情報を端末装置５０から受信する。通信部２４は、具体的には、通信回路（通信モジュール）であり、端末装置５０が備える通信部から無線通信によって制御情報を受信する。なお、通信部２４（照明制御装置２０）と端末装置５０との通信方法は特に限定されない。通信部２４と端末装置５０との間においては、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われてもよい。
【００２９】
記憶部２５は、端末装置５０から送信され通信部２４を介して受信されたシーン情報、スライドショー情報、スケジュール情報、及び点灯情報などが記憶される記憶装置である。また、記憶部２５には、制御部２２が実行する制御プログラムも記憶される。
【００３０】
記憶部２５は、具体的には、半導体メモリなどの記憶装置である。記憶部２５への情報の記憶は、制御部２２によって行われる。なお、記憶部２５は、制御部２２に内蔵されてもよい。
【００３１】
送信部２６は、照明器具３０に調光率及び色温度を含む制御信号を送信する。つまり、送信部２６は、調光率及び色温度を送信する。送信部２６は、具体的には、通信回路（通信モジュール）であり、有線通信によって調光率及び色温度を送信する。有線通信とは、例えば、電力線搬送通信（ＰＬＣ：Ｐｏｗｅｒ  Ｌｉｎｅ  Ｃｏｍｍｕｎｉｃａｔｉｏｎ）または有線ＬＡＮ（Ｌｏｃａｌ  Ａｒｅａ  Ｎｅｔｗｏｒｋ）を用いた通信などである。
【００３２】
なお、照明制御装置２０は、電力系統（例えば、商用電源）から供給される交流電力を、照明制御装置２０の動作に適した直流電力に変換し供給する電源部（図示しない）を有してもよい。電源部は、具体的には、ＡＣ／ＤＣコンバータまたはＤＣ／ＤＣコンバータなどを含む電源回路である。
【００３３】
［１−２．照明器具］
次に、照明器具３０について説明する。なお、本実施の形態に係る照明システム１０は、照明器具３０ａ〜３０ｆの６台の照明器具を備える。照明器具３０ａ〜３０ｆはそれぞれ同一の構成であり、任意の１台を指す場合に照明器具３０とも記載する。
【００３４】
照明器具３０は、室内を照明するいわゆるシーリングライトであり、照明制御装置２０から受信した調光率及び色温度に応じた明るさ及び色で発光する。つまり、照明器具３０は、照明制御装置２０によって調光制御及び調色制御される。なお、照明器具３０は、シーリングライトに限定されず、ダウンライトなどであってもよい。また、本実施の形態では、照明システム１０は、複数の照明器具３０を備えるが、少なくとも１台の照明器具３０を備えていればよい。照明器具３０は、受信部３１と、発光制御部３２と、発光部３３とを備える。
【００３５】
受信部３１は、照明制御装置２０から調光率及び色温度を含む制御信号を受信する。つまり、受信部３１は、調光率及び色温度を受信する。受信部３１は、具体的には、通信回路（通信モジュール）であり、照明制御装置２０が備える送信部２６から有線通信によって調光率及び色温度を受信する。
【００３６】
発光制御部３２は、受信部３１によって受信された調光率及び色温度に応じた電圧及び電流を発光部３３に供給する。発光制御部３２は、具体的には、制御回路（例えば、ＰＷＭ（Ｐｕｌｓｅ  Ｗｉｄｔｈ  Ｍｏｄｕｌａｔｉｏｎ）回路など）を備え、調光及び調色を制御する。例えば、発光制御部３２は、発光部３３に供給する電圧及び電流を変化させることで調光率を制御する。また、発光制御部３２は、発光部３３が発光色の異なる発光素子を有している（例えば青色光を出射する発光素子と赤色光を出射する発光素子）場合、それぞれの発光素子へ供給する電圧及び電流の比率を変化させることで色温度を制御する。
【００３７】
発光制御部３２は、制御回路などを制御する、マイクロコンピュータ、プロセッサ、または、専用回路を備える。つまり、発光制御部３２の態様は特に限定されない。
【００３８】
発光部３３は、発光制御部３２から供給される電圧及び電流によって発光する発光モジュールである。発光部３３は、具体的には、ＬＥＤ（Ｌｉｇｈｔ  Ｅｍｉｔｔｉｎｇ  Ｄｉｏｄｅ）を発光素子として備える。例えば、発光部３３は、発光色の異なる複数のＬＥＤを備えていてもよい。また、発光部３３は、蛍光管、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子を備えてもよい。
【００３９】
なお、照明器具３０は、外部から供給される交流電力または直流電力を、照明器具３０の動作に適した直流電力に変換し供給する電源部（図示しない）を有してもよい。電源部は、具体的には、ＡＣ／ＤＣコンバータまたはＤＣ／ＤＣコンバータなどを含む電源回路である。
【００４０】
［１−３．スイッチ部］
スイッチ部４０は、照明制御装置２０と複数の照明器具３０との間であって、複数の照明器具３０と離間して配置され、複数の照明器具３０の点灯状態などを遠隔操作するためのスイッチである。スイッチ部４０は、造営材に固定されるスイッチであり、例えば、屋内の壁に配置された壁スイッチである。なお、スイッチ部４０は、照明器具３０の点灯状態などを遠隔操作する遠隔操作部の一例である。
【００４１】
スイッチ部４０は、ユーザからの照明器具３０に対する操作を受け付ける。本実施の形態では、スイッチ部４０はスイッチ４０ａ〜スイッチ４０ｄの４つのスイッチを有する。なお、スイッチ部４０が有するスイッチの数は４つに限定されず、１以上であればよい。
【００４２】
図２に示すように、スイッチ４０ａ〜スイッチ４０ｄには、それぞれ異なった点灯情報が割り当てられている。具体的には、スイッチ４０ａ〜スイッチ４０ｄのそれぞれに対応するグループ、当該グループに含まれる照明器具の点灯状態及び当該点灯状態の継続時間などが割り当てられている。なお、スイッチ４０ａ〜４０ｄそれぞれの割り当ては、照明制御装置２０の記憶部２５に記憶されている。
【００４３】
なお、スイッチ部４０の操作には、端末装置５０による操作は含まれない。言い換えると、スイッチ部４０には、端末装置５０などの表示部に表示される操作画像（例えば、スイッチを示す画像）は含まれない。
【００４４】
また、図１に示すように、スイッチ４０ａ〜スイッチ４０ｄのそれぞれは、第１表示灯４１及び第２表示灯４２を有する。上記で説明したように、スイッチ４０ａ〜４０ｄのそれぞれには、シーン情報又はスライドショー情報が割り当てられている。第１表示灯４１及び第２表示灯４２は、照明器具３０の現在の点灯状態がシーン情報又はスライドショー情報に基づく点灯状態であるか、スケジュール情報に基づく点灯状態であるかを表示する表示部である。具体的には、第１表示灯４１及び第２表示灯４２は、それぞれ異なる発光色を発光する発光装置である。例えば、第１表示灯４１及び第２表示灯４２が発する光の色は、一例として、第１表示灯４１が緑色、第２表示灯４２が赤色であるが、これに限定されない。
【００４５】
例えば、シーン情報又はスライドショー情報に基づいて照明器具３０が制御されているときは、第１表示灯４１が発光し、かつ第２表示灯４２は消灯する。また、例えば、スケジュール情報に基づいて照明器具３０が制御されているときは、第２表示灯４２が発光し、かつ第１表示灯４１は消灯する。これにより、ユーザは、スイッチ４０ａ〜スイッチ４０ｄのそれぞれが有する第１表示灯４１及び第２表示灯４２の点灯状態を確認するだけで、照明器具３０がシーン情報及びスライドショー情報、又は、スケジュール情報のどちらに基づいて制御されているかを認識することができる。
【００４６】
なお、第１表示灯４１及び第２表示灯４２は、点灯部の一例である。また、点灯部は、異なる色を発光する２つの表示灯を有することに限定されない。例えば、点灯部は、異なる２つの発光色を発光する表示灯を１つ有し、当該表示灯が発光する色を変化させてもよい。また、点灯部は１つの表示灯から構成され、シーン情報又スライドショー情報に基づいて点灯している場合のみ、当該表示灯を点灯させてもよい。点灯部の点灯状態は、例えば制御部２２により制御される。
【００４７】
［１−４．端末装置］
端末装置５０は、無線通信により照明制御装置２０に照明システム１０が備える複数の照明器具３０の点灯状態を制御する制御情報を送信する操作端末である。
【００４８】
図１に示すように、端末装置５０は、取得部５１、表示部５２、制御部５３、通信部５４及び記憶部５５を有する。
【００４９】
取得部５１は、ユーザからの照明器具３０の点灯状態に対する操作（指示）及び制御情報を生成する操作を受け付けるユーザインターフェースであり、例えばタッチパネルなどである。取得部５１がタッチパネルである場合、取得部５１と表示部５２（例えば、液晶ディスプレイ）とは接着される。
【００５０】
例えば、ユーザが表示部５２に表示された点灯状態の中から意図する点灯状態が表示されている位置をタッチすることで、取得部５１はユーザからの選択結果を取得する。なお、例えば、取得部５１はタッチパネルに限定されず、押しボタン又はキーボードなどでもよい。
【００５１】
表示部５２は、照明器具３０を制御するための情報又は制御情報を生成するための情報を表示する表示デバイスであり、例えば、液晶ディスプレイなどである。
【００５２】
制御部５３は、端末装置５０が有する各構成部を制御する制御装置である。例えば、制御部５３は、取得部５１を介して点灯状態に対する操作を受け付けた場合、点灯状態に対応した情報を生成し、当該情報を通信部５４を介して照明制御装置２０に送信する。また、取得部５１を介して制御情報の生成に対する操作を受け付けた場合、生成された制御情報を通信部５４を介して照明制御装置２０に送信する。
【００５３】
制御部５３は、記憶部５５に記憶された制御プログラムを実行するプロセッサであるが、マイクロコンピュータ、または専用回路などにより実現されてもよい。
【００５４】
通信部５４は、端末装置５０から照明制御装置２０に照明器具３０の点灯状態を制御する制御情報を送信する。通信部５４は、具体的には、通信回路（通信モジュール）であり、照明制御装置２０が備える通信部２４に無線通信によって制御情報を送信する。なお、通信部５４（端末装置５０）と通信部２４（照明制御装置２０）との通信方法は特に限定されない。通信部５４と通信部２４との間においては、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われてもよい。
【００５５】
記憶部５５は、照明制御装置２０に送信したシーン情報、スライドショー情報、スケジュール情報、及び点灯情報が記憶される記憶装置である。また、記憶部５５には、制御部５３が実行する制御プログラムも記憶される。
【００５６】
記憶部５５は、具体的には、半導体メモリなどの記憶装置である。記憶部５５への情報の記憶は、制御部５３によって行われる。なお、記憶部５５は、制御部５３に内蔵されてもよい。
【００５７】
ユーザは、端末装置５０を用いて、シーン情報、スライドショー情報、スケジュール情報及び点灯情報を取得部５１を介して作成し、通信部５４を介して照明制御装置２０に送信することで、照明制御装置２０の記憶部２５にそれぞれの情報を記憶させる。また、ユーザは、端末装置５０を用いて、複数の照明器具３０を２以上のグループにグループ分けを行い（グルーピングし）、通信部５４を介して照明制御装置２０に送信することで、照明制御装置２０の記憶部２５にグループ分けした情報を記憶させる。グループとは、ユーザにより決定された１以上の照明器具の集合であり、グループ情報とはグループと当該グループに含まれる照明器具のそれぞれが有する固有の識別情報（例えば、デバイスＩＤ）などが紐付いた情報である。なお、グループ情報は、制御情報の一例である。また、例えば、端末装置５０は照明制御装置２０から照明システム１０が備える複数の照明器具３０それぞれの識別情報を取得し、取得した識別情報を用いてグループ分けを行う。
【００５８】
本実施の形態では、複数の照明器具３０をグループ１〜グループ３の３つのグループにグループ分けした例を示している。図１に示すように、照明器具３０ａ及び３０ｂはグループ１、照明器具３０ｃ及び３０ｄはグループ２、照明器具３０ｅ及び３０ｆはグループ３にグループ分けされている。なお、１つのグループに含まれる照明器具の数は限定されず、１台以上であればよい。また、グループに含まれる照明器具の数は、グループごとで異なっていてもよい。
【００５９】
そして、ユーザは、照明システム１０が備えるスイッチ部４０と、当該スイッチ部４０に対応するグループ、当該グループに含まれる照明器具の点灯状態及び当該点灯状態を継続する繰り返し情報又は時間情報とを設定する。本実施の形態では、照明システム１０は４つのスイッチ４０ａ〜４０ｄを備える。ユーザは、４つのスイッチ４０ａ〜４０ｄのそれぞれに対して端末装置５０を用いて上記情報の設定を行う。これにより、スイッチ４０ａ〜４０ｄごとにグループ、点灯状態などを割り当てることができる。なお、繰り返し情報とは、スライドショー情報が示す点灯状態のループ回数である。
【００６０】
端末装置５０を用いて上記情報の設定を行う際、点灯状態を継続する繰り返し情報又は時間情報が設定される点に特徴を有する。スイッチが操作されることで当該スイッチに対応したグループに含まれる照明器具の点灯状態が当該スイッチに対応した点灯状態に制御されるが、当該スイッチに対応した点灯状態が継続する時間などが設定されているので、当該点灯状態は設定された時間が経過した後、自動的に終了される。言い換えると、ユーザはそれぞれのスイッチ４０ａ〜４０ｄに対応した点灯状態が終了する時間を設定することができる。
【００６１】
なお、端末装置５０は、例えばタブレット端末であるが、これに限定されず、スマートフォンつまり高機能携帯電話端末、携帯電話端末、専用に開発されたコントローラ端末、又はＰＣ（Ｐｅｒｓｏｎａｌ  Ｃｏｍｐｕｔｅｒ）等により実現されてもよい。
【００６２】
なお、端末装置５０を用いて照明システム１０が備える照明器具３０の点灯状態を制御可能である。
【００６３】
ここで、端末装置５０から送信され照明制御装置２０の記憶部２５に記憶される照明器具３０の点灯情報、シーン情報、スライドショー情報及びスケジュール情報について、図２〜図５を参照しながら説明する。
【００６４】
図２は、本実施の形態に係る点灯情報Ｃの一例を示す図である。図２に示すように、記憶部２５には照明器具３０の点灯状態を含む点灯情報Ｃが記憶されている。点灯情報Ｃには、スイッチ、グループ、対象器具、シーン情報又はスライドショー情報、及び、繰り返し情報又は時間情報が含まれる。なお、図１に示すように、本実施の形態では、照明システム１０は４つのスイッチ（スイッチ４０ａ〜スイッチ４０ｄ）を備える。点灯情報Ｃとは、スイッチ４０ａ〜スイッチ４０ｄのそれぞれのスイッチに対応した照明器具３０の点灯状態を示すシーン情報（第１シーン情報の一例）及び２以上のシーン情報が組み合わされたスライドショー情報（第１スライドショー情報の一例）の少なくとも一方、並びに、当該シーン情報又は当該スライドショー情報が示す点灯状態の再現に関する時間情報及び繰り返し情報の一方を含む情報である。
【００６５】
まず、点灯情報Ｃに含まれるスイッチに関する情報とは、スイッチ部４０が有するスイッチのうちのどのスイッチに対応しているかを示す情報である。本実施の形態では、スイッチ部４０はスイッチ４０ａ〜スイッチ４０ｄの４つのスイッチを有している。図２に示すように、スイッチ４０ａ〜スイッチ４０ｄのそれぞれに対して、個別にシーン情報などが設定されている。
【００６６】
点灯情報Ｃに含まれるグループに関する情報とは、スイッチ４０ａ〜スイッチ４０ｄがそれぞれどのグループの照明器具３０に対応したスイッチであるかを示す情報である。言い換えると、グループに関する情報とは、スイッチ４０ａ〜スイッチ４０ｄのそれぞれにより制御される照明器具の集まりを示す情報である。図２に示すように、例えば、スイッチ４０ａはグループ１に対応したスイッチである。
【００６７】
なお、本実施の形態では、グループに含まれる照明器具３０は予め記憶部２５に記憶されており、グループ１には照明器具３０ａ及び３０ｂが含まれ、グループ２には照明器具３０ｃ及び３０ｄが含まれ、グループ３には照明器具３０ｅ及び３０ｆが含まれる。照明システム１０が備える複数の照明器具３０のそれぞれは、いずれかのグループに含まれる。
【００６８】
なお、図２では１つのスイッチに１つのグループが割り当てられているが、１つのスイッチに複数のグループが割り当てられていてもよい。例えば、スイッチ４０ａには、グループに関する情報としてグループ１及びグループ２が含まれていてもよい。これにより、ユーザがスイッチ４０ａを操作すると、グループ１及びグループ２のグループに含まれる照明器具３０（本実施の形態では、照明器具３０ａ〜照明器具３０ｄ）の点灯状態を制御することができる。また、グループには、照明システム１０が備える照明器具３０の全ての照明器具３０を含むグループが含まれてもよい。つまり、スイッチ部４０が操作されることで、照明システム１０が備える照明器具３０の全てを一括で制御してもよい。
【００６９】
点灯情報Ｃに含まれるシーン情報又はスライドショー情報とは、それぞれのグループに含まれる照明器具３０の点灯状態を示す情報である。具体的には、シーン情報には、照明器具３０が出力する光の調光率を示す情報と、照明器具３０が出力する光の色温度を示す情報とが含まれる。より具体的には、図３を参照しながら説明する。
【００７０】
図３は、本実施の形態に係るシーン情報の一例を示す図である。図３に示すように、シーン情報とは、調光率及び色温度を含む照明器具３０の点灯状態を示す情報である。１つのシーン情報には、調光率及び色温度が１つ設定される。例えば、シーン情報１には、調光率４０％で色温度が３０００Ｋの光を出力することが示される。シーン情報は、予めユーザにより端末装置５０を介して照明制御装置２０の記憶部２５に記憶されている。これにより、照明制御装置２０は、点灯情報に含まれるシーン情報を記憶部２５から読みだすことで、当該シーン情報に示される調光率及び色温度を再現することができる。
【００７１】
図４は、本実施の形態に係るスライドショー情報の一例を示す図である。図４に示すように、スライドショー情報とは、２以上のシーン情報が組み合わされた情報である。スライドショー情報には、再現する順序、シーン情報及び再現時間が含まれる。本実施の形態では、スライドショー情報には、シーン情報１からシーン情報５までの５つのシーン情報が含まれる。例えば、スライドショー情報に基づいて点灯状態が制御される場合、再現順序１から順に再現される。本実施の形態では、再現順序は１〜５まであり、再現順序５の点灯（例えば、シーン情報１が示す点灯状態を４分継続する）が終了すると、再現順序１に戻り、照明器具３０の点灯状態が制御される。
【００７２】
スライドショー情報は、予めユーザにより端末装置５０を介して照明制御装置２０の記憶部２５に記憶されている。これにより、照明制御装置２０は、制御情報に含まれるスケジュール情報を記憶部２５から読み出すことで、当該スケジュール情報に示される調光率及び色温度を再現することができる。
【００７３】
繰り返し情報又は時間情報とは、シーン情報又はスライドショー情報が示す点灯状態の再現に関する情報である。繰り返し情報は、具体的には、スライドショー情報の点灯状態を繰り返す回数（ループ回数）を示す情報である。また、時間情報とは、シーン情報又はスライドショー情報の点灯状態を継続する時間を示す情報である。時間情報とは、検知部２１がスイッチ部４０からの操作を検知してからシーン情報若しくはスライドショー情報が示す点灯状態を継続して再現する継続時間、又は、シーン情報若しくはスライドショー情報が示す点灯状態の再現を終了する終了時刻を含む。本実施の形態に係る照明システム１０では、点灯情報Ｃに繰り返し情報又は時間情報が含まれており、照明制御装置２０は点灯情報Ｃに含まれる繰り返し情報又は時間情報に基づいて照明器具３０の点灯状態を継続する点に特徴を有する。
【００７４】
図５は、本実施の形態に係る照明制御装置２０がスケジュール情報に示される点灯状態を再現するときの動作の一例を示す図である。スケジュール情報とは、少なくとも１つのシーン情報（第２シーン情報の一例）又は２以上のシーン情報が組み合わされたスライドショー情報（第２スライドショー情報の一例）と、当該シーン情報又は当該スライドショー情報が示す点灯状態の再現に関する時間情報とが対応付けられた情報である。時間情報とは、例えば時刻情報である。図５では、照明制御装置２０がスケジュール情報に基づいてシーン情報及びスライドショー情報を再現するときの動作の一例を示している。スケジュール情報は、５つのシーン情報及び１つのスライドショー情報と、それぞれの点灯情報の開始及び終了を示す時刻情報とから構成されている。
【００７５】
なお、スケジュール情報には、スイッチに関する情報及びグループに関する情報は含まれない。また、スケジュール情報は、照明システム１０が備える全ての照明器具３０を制御するための情報である。ユーザによる所定の操作（例えば、端末装置５０からの操作）を照明制御装置２０が通信部２４を介して受信した場合、照明制御装置２０はスケジュール情報に基づいて照明器具３０の点灯状態を制御する。スケジュール情報における照明器具３０の点灯とは、通常の点灯モードである。
【００７６】
なお、スケジュール情報は、１日ごとに設定されてもよく、例えば、曜日ごと、月ごと、季節ごと、年ごとなど、ユーザが任意に設定可能である。
【００７７】
上記で説明した、点灯情報Ｃ、シーン情報、スライドショー情報及びスケジュール情報などの制御情報は、照明制御装置２０が端末装置５０を介して取得する情報である。照明制御装置２０は、ユーザにより端末装置５０を用いて入力された照明器具３０の点灯情報Ｃ、シーン情報、スライドショー情報及びスケジュール情報を、通信部２４を介して取得し、取得したそれぞれの情報は記憶部２５に記憶される。
【００７８】
［２．点灯情報の生成］
続いて、照明制御装置２０の記憶部２５に記憶され、スイッチに対応したグループ及び点灯状態に関する情報を含む点灯情報Ｃの生成について説明する。
【００７９】
点灯情報Ｃは、ユーザにより端末装置５０を用いて生成される。ユーザにより点灯情報Ｃが生成される手順について、図６を参照しながら説明する。図６は、本実施の形態に係る点灯情報Ｃを生成する手順を示すフローチャートである。なお、シーン情報、スライドショー情報及びグループに関する情報は、予め照明制御装置２０の記憶部２５に記憶されているものとする。また、端末装置５０は、照明制御装置２０から照明システム１０が備えるスイッチ部４０に関する情報（本実施の形態では、スイッチ４０ａ〜４０ｄに関する情報）を取得しているものとする。
【００８０】
まず、ユーザは取得しているスイッチ部４０の情報の中から、点灯情報を生成するスイッチを選択する（Ｓ１０）。本実施の形態では、スイッチ４０ａ〜スイッチ４０ｄの４つのスイッチの中から、点灯情報を生成するスイッチを選択する。例えば、表示部５２にスイッチ４０ａ〜スイッチ４０ｄが表示され、ユーザは取得部５１を介してスイッチを選択する。例えば、スイッチ４０ａを選択したとする。
【００８１】
次に、ユーザは、選択したスイッチ４０ａにより制御する（言い換えると、スイッチ４０ａに割り当てる）グループを選択する（Ｓ２０）。例えば、表示部５２に予め記憶されているグループ情報が表示され、ユーザは取得部５１を介して意図するグループを選択する。これにより、スイッチ４０ａとグループとが対応付けられる。例えば、ユーザは、グループ１を選択したとする。なお、予めグループが設定されていない又は新たにグループを設定したい場合には、ステップＳ２０で新たなグループを設定してもよい。
【００８２】
ステップＳ２０で所定のグループ（本実施の形態では、スイッチ４０ａに対応するグループ１）が設定されると、所定のグループに含まれる照明器具３０のシーン情報又はスライドショー情報が選択される（Ｓ３０）。例えば、表示部５２に予め記憶しているシーン情報又はスライドショー情報が表示され、ユーザは取得部５１を介して意図するシーン情報又はスライドショー情報を選択する。これにより、スイッチ４０ａとシーン情報又はスライドショー情報とが対応付けられる。例えば、ユーザは、シーン情報１を選択したとする。
【００８３】
ステップＳ３０でシーン情報又はスライドショー情報が選択されると、選択されたシーン情報又はスライドショー情報が示す点灯状態を継続する繰り返し情報又は時間情報が設定される（Ｓ４０）。本実施の形態では、この繰り返し情報又は時間情報が設定される点に特徴を有する。
【００８４】
ユーザは、例えば取得部５１を介して繰り返し回数、継続時間又は終了時刻などを入力してもよいし、予め１以上の繰り返し情報又は時間情報が記憶されており記憶されている繰り返し情報又は時間情報から所定の繰り返し情報又は時間情報を選択してもよい。これにより、スイッチ４０ａと繰り返し情報又は時間情報とが対応付けられる。例えば、ユーザは、３０分を入力したとする。
【００８５】
これにより、１つのスイッチにおける点灯情報の生成が完了する。そして、照明システム１０が備える全てのスイッチに対して点灯情報の生成が完了している場合（Ｓ５０でＹｅｓ）、生成された点灯情報は通信部５４を介して照明制御装置２０に送信される（Ｓ６０）。例えば、取得部５１がユーザから送信の指示を受け付けることで、点灯情報が送信される。
【００８６】
なお、照明システム１０が備える全てのスイッチに対して点灯情報の生成が完了していない場合（Ｓ５０でＮｏ）、ステップＳ１０に戻り、残りのスイッチに対してステップＳ１０〜ステップＳ４０が行われる。
【００８７】
ステップＳ１０〜ステップＳ４０において、スイッチ４０ａには、グループがグループ１、シーン情報又はスライドショー情報がシーン情報１、繰り返し情報又は時間情報は３０分が割り当てられる。つまり、スイッチ４０ａが操作されると、照明制御装置２０の制御部２２は、グループ１に含まれる照明器具３０をシーン情報１が示す点灯状態で３０分間のみ点灯させる制御を行うことができる。
【００８８】
［３．照明制御装置の動作］
続いて、照明システム１０における照明制御装置２０の動作について、図７〜図８Ｂを参照しながら説明する。図７は本実施の形態に係る照明制御装置２０の動作を示すフローチャートである。
【００８９】
なお、以下の説明では、記憶部２５に予めスケジュール情報及びスイッチ部４０に対応した点灯情報Ｃが記憶されているものとする。また、照明システム１０に含まれる複数の照明器具３０は、スケジュール情報に基づいて点灯しており、図５に示すスイッチ押下の時点で、スイッチ部４０のスイッチが押下された（操作された）場合について説明する。また、以下では、一例として、スイッチ４０ａ及びスイッチ４０ｂが押下された場合について説明する。
【００９０】
まず、照明制御装置２０は、ユーザによりスケジュール情報に基づく点灯の指示を受け付ける（Ｓ１１０でＹｅｓ）と、照明システム１０に含まれる複数の照明器具３０の点灯状態を当該スケジュール情報に基づく点灯状態に制御する（Ｓ１２０）。具体的には、スケジュール情報に基づく点灯の指示を通信部２４を介して受け付けると、制御部２２は記憶部２５から当該スケジュール情報を読み出す。また、制御部２２はタイマ部２３から現在の時刻情報を取得する。そして、制御部２２は、複数の照明器具３０を取得した時刻情報に対応するスケジュール情報の点灯状態に制御する。制御部２２は、スケジュール情報が示す点灯状態に応じた制御信号を送信部２６を介して複数の照明器具３０のそれぞれに送信することで、複数の照明器具３０の点灯状態を制御する。なお、スケジュール情報が示す点灯状態を照明器具３０に再現させる制御は、制御部２２が行う第２の制御の一例である。
【００９１】
例えば、図５に示すスケジュール情報に基づく点灯の指示を、１０時３０分に受け付けた場合、制御部２２はスケジュール情報の１０時３０分に対応する点灯状態であるスライドショー情報１に基づいて複数の照明器具３０の点灯状態を制御する。
【００９２】
なお、スケジュール情報とは照明システム１０が含む全ての照明器具３０を一括で制御する情報である。そのため、制御部２２は、スケジュール情報に基づく点灯の指示を受け付けると、照明システム１０が備える全ての照明器具３０の点灯状態を一括で制御する。
【００９３】
また、スケジュール情報に基づく点灯の指示とは、例えば、端末装置５０から受信した指示である。言い換えると、スイッチ部４０の操作による指示ではない。
【００９４】
また、スケジュール情報に基づく点灯の指示を受け付けていない場合（Ｓ１１０でＮｏ）、照明制御装置２０は照明器具３０の点灯状態の制御を行わない。例えば、照明器具３０が消灯している状態であれば、照明制御装置２０は照明器具３０が消灯している状態を維持する。また、例えば、照明器具３０が何らかの指示に基づいて点灯している状態であれば、照明制御装置２０は照明器具３０が点灯している状態を維持する。
【００９５】
スケジュール情報に基づいて点灯しているときに、検知部２１がスイッチ部４０の操作を検知した場合（Ｓ１３０でＹｅｓ）、制御部２２はスイッチ部４０に対応する点灯情報Ｃを記憶部２５から読み出し（Ｓ１４０）、読み出した点灯情報Ｃに含まれる所定のグループの点灯状態を、点灯情報Ｃに含まれるシーン情報又はスライドショー情報が示す点灯状態に制御する（Ｓ１５０）。なお、点灯情報Ｃが示す点灯状態を照明器具３０に再現させる制御は、制御部２２が行う第１の制御の一例である。
【００９６】
なお、スケジュール情報に基づいて点灯しているときに、検知部２１がスイッチ部４０の操作を検知していない場合（Ｓ１３０でＮｏ）、検知部２１がスイッチ部４０の操作を検知するまで制御部２２はスケジュール情報に基づく制御を継続する。
【００９７】
ここで、一例として、図５のスケジュール情報で点灯しているときにスイッチ４０ａ又はスイッチ４０ｂが押下された場合の照明器具の点灯状態について、図８Ａ及び図８Ｂを参照しながら説明する。まず、スケジュール情報で点灯しているときにスイッチ４０ａが押下された場合について図８Ａを参照しながら説明する。なお、スイッチが押下されるタイミングは、図５に示すタイミングである。
【００９８】
図８Ａは、本実施の形態に係るスイッチ４０ａが押下された場合のグループごとの照明器具３０の点灯状態を示す図である。具体的には、図８Ａの（ａ）は、本実施の形態に係るスイッチ４０ａが押下された場合のグループ１に含まれる照明器具３０の点灯状態を示す図であり、図８Ａの（ｂ）は、本実施の形態に係るスイッチ４０ａが押下された場合のグループ２に含まれる照明器具３０の点灯状態を示す図であり、図８Ａの（ｃ）は、本実施の形態に係るスイッチ４０ａが押下された場合のグループ３に含まれる照明器具３０の点灯状態を示す図である。
【００９９】
また、図２に示すように、スイッチ４０ａに対応するグループはグループ１であり、シーン情報又はスライドショー情報はシーン情報１であり、時間情報は３０分である。グループ１は、照明器具３０ａ及び３０ｂを含む。スイッチ４０ａには、グループ１に含まれる照明器具３０ａ及び３０ｂをシーン情報１が示す点灯状態で３０分間点灯させることが割り当てられている。
【０１００】
図８Ａの（ａ）に示すように、スイッチ４０ａが押下されると、スイッチ４０ａに対応するグループであるグループ１に含まれる照明器具３０（本実施の形態では、照明器具３０ａ及び３０ｂ）の点灯状態はスイッチ４０ａに対応した点灯状態に制御される。本実施の形態では、シーン情報１に制御される。つまり、制御部２２は、スケジュール情報が示す点灯状態を再現しているときに、検知部２１がスイッチ４０ａの操作を検知した場合、スケジュール情報が示す点灯状態の再現に優先してスイッチ４０ａに対応する点灯情報Ｃが示す点灯状態を、点灯情報Ｃに含まれるグループ情報が示すグループに含まれる照明器具３０に再現させる制御を行う。言い換えると、制御部２２は、第２の制御に優先して第１の制御を行う。
【０１０１】
なお、スイッチ４０ａに対応したグループではないグループ２及びグループ３に含まれる照明器具３０（本実施の形態では、グループ２には照明器具３０ｃ及び３０ｄ、グループ３には照明器具３０ｅ及び３０ｆが含まれる）は、点灯状態が変更されていない。言い換えると、グループ２及びグループ３に含まれる照明器具３０は、スイッチ４０ａが押下されてもスケジュール情報が示す点灯状態で点灯している。つまり、スイッチ部４０を押下すると、当該スイッチ部４０に予め対応付けされたグループに含まれる照明器具３０のみの点灯状態を制御することができる。よって、ユーザは照明システム１０が備える複数の照明器具３０が照らす空間のうち所定の範囲のみを演出することができる。
【０１０２】
次に、スケジュール情報で点灯しているときにスイッチ４０ｂが押下された場合について図８Ｂを参照しながら説明する。
【０１０３】
図８Ｂは、本実施の形態に係るスイッチ４０ｂが押下された場合のグループごとの照明器具３０の点灯状態を示す図である。具体的には、図８Ｂの（ａ）は、本実施の形態に係るスイッチ４０ｂが押下された場合のグループ１に含まれる照明器具３０の点灯状態を示す図であり、図８Ｂの（ｂ）は、本実施の形態に係るスイッチ４０ｂが押下された場合のグループ２に含まれる照明器具３０の点灯状態を示す図であり、図８Ｂの（ｃ）は、本実施の形態に係るスイッチ４０ｂが押下された場合のグループ３に含まれる照明器具３０の点灯状態を示す図である。
【０１０４】
図８Ｂの（ｂ）に示すように、スイッチ４０ｂが押下されると、スイッチ４０ｂに対応するグループであるグループ２に含まれる照明器具３０（本実施の形態では、照明器具３０ｃ及び３０ｄ）の点灯状態はスイッチ４０ｂに対応した点灯状態に制御される。本実施の形態では、シーン情報２に制御される。なお、スイッチ４０ｂに対応したグループではないグループ１及びグループ３に含まれる照明器具３０（本実施の形態では、グループ１には照明器具３０ａ及び３０ｂ、グループ３には照明器具３０ｅ及び３０ｆが含まれる）は、点灯状態が変更されていない。言い換えると、グループ１及びグループ３に含まれる照明器具３０は、スイッチ４０ｂが押下されてもスケジュール情報が示す点灯状態で点灯している。
【０１０５】
上記に示すように、ステップＳ１５０では、検知部２１が検知したスイッチに対応したグループに含まれる照明器具３０が当該スイッチに対応した点灯状態に制御される。また、上記でも説明したように、本実施の形態に係る点灯情報Ｃには、繰り返し情報又は時間情報が含まれる。図２に示すように、スイッチ４０ａに対応した時間情報は３０分であり、スイッチ４０ｂに対応した時間情報は６０分である。つまり、点灯情報Ｃが示す点灯状態で点灯する時間が、予め決められている。そのため、制御部２２は、ステップＳ１５０で所定の照明器具３０を点灯情報Ｃが示す点灯状態に制御してから、所定の繰り返し回数又は所定の時間に達したか否かを判定する（Ｓ１６０）。所定の繰り返し回数又は所定の時間とは、点灯情報Ｃに含まれる繰り返し情報又は時間情報である。
【０１０６】
所定の繰り返し回数又は所定の時間に達した場合（Ｓ１６０でＹｅｓ）、制御部２２は所定のグループの点灯状態をスケジュール情報に基づく点灯状態に制御する（Ｓ１７０）。これにより、照明システム１０が備える照明器具３０の全てが同じ点灯状態（例えば、スケジュール情報が示す点灯状態）で点灯する。
【０１０７】
言い換えると、制御部２２は、検知部２１がスイッチ部４０からの操作を検知した場合、時間情報が示す時間又は繰り返し情報が示す繰り返し回数に達するまで、スイッチ部４０に対応したシーン情報（第１シーン情報の一例）又はスライドショー情報（第１スライドショー情報の一例）が示す点灯状態を照明器具３０に再現させる制御を行う。
【０１０８】
ここで、一例として、図５のスケジュール情報で点灯しているときにスイッチ４０ａ及びスイッチ４０ｂが押下された場合について、図８Ａ及び図８Ｂを参照しながら説明する。
【０１０９】
図８Ａの（ａ）に示すように、制御部２２は、スイッチ４０ａが押下されてからスイッチ４０ａに対応する時間情報である３０分間のみスイッチ４０ａに対応するシーン情報１でグループ１に含まれる照明器具３０を制御する。そして、制御部２２は、３０分が経過すると、スイッチ４０ａが押下されたことによる制御を終了し、スイッチ４０ａが押下される前と同様、スケジュール情報に基づく制御を行う。つまり、ユーザはスイッチ４０ａに対応した制御を終了する際に、スイッチ４０ａを押下しなくてもよい。
【０１１０】
例えば、１２時３０分にスイッチ４０ａが押下された場合、制御部２２は、１２時３０分から３０分後の１３時まではグループ１に含まれる照明器具３０をシーン情報１が示す点灯状態に制御する。そして、制御部２２は、１３時に達した時点で、自動的に（人による操作無しに）シーン情報１による制御からスケジュール情報による制御に切り替える。
【０１１１】
また、図８Ｂの（ｂ）に示すように、制御部２２は、スイッチ４０ｂが押下されてからスイッチ４０ａに対応する時間情報である６０分間のみスイッチ４０ｂに対応するシーン情報２でグループ２に含まれる照明器具３０を制御する。そして、制御部２２は、６０分が経過すると、スイッチ４０ｂが押下されたことによる制御を終了し、スイッチ４０ｂが押下される前と同様、スケジュール情報に基づく制御を行う。つまり、ユーザはスイッチ４０ｂに対応した制御を終了する際に、スイッチ４０ｂを押下しなくてもよい。
【０１１２】
例えば、１７時３０分にスイッチ４０ｂが押下された場合、制御部２２は、１７時３０分から６０分後の１８時３０分まではグループ２に含まれる照明器具３０をシーン情報２が示す点灯状態に制御する。そして、制御部２２は、１８時３０分に達した時点で、自動的に（人による操作無しに）シーン情報２による制御からスケジュール情報による制御に切り替える。
【０１１３】
なお、図８Ｂの（ａ）及び図８Ｂの（ｂ）に示すように、スイッチ４０ｂが押下されシーン情報２で制御されているときに、スケジュール情報では再現されるシーン情報が切り替わっている。具体的には、１８時の時点で、シーン情報３からシーン情報４に再現されるシーンが切り替わっている。この場合であっても、制御部２２は、切り替え後のシーン情報（図８Ｂの（ａ）では、シーン情報４）の再現に優先して、スイッチ４０ｂに対応する点灯情報Ｃ（図８Ｂの（ｂ）ではシーン情報２）が示す点灯状態を照明器具３０に再現させる制御を行う。
【０１１４】
本実施の形態に係る照明システム１０では、スイッチ部４０を操作することでスイッチ部４０に対応したグループに含まれる照明器具３０をスイッチ部４０に対応した点灯状態で点灯させるが、当該点灯状態はスイッチ部４０に対応した時間又は繰り返し回数のみ継続され、当該時間又は繰り返し回数に達すると自動的に終了される。つまり、ユーザはスイッチ部４０を操作する（例えば、１回押下する）だけで、スイッチ部４０に対応した点灯状態での点灯の開始及び終了を制御することができる。
【０１１５】
例えば、点灯情報に繰り返し情報又は時間情報が含まれていない場合、スイッチ部を操作することでスイッチ部に対応した点灯状態に照明器具を制御できるが、当該点灯状態の制御を終了するには再度スイッチ部を操作する必要があった。つまり、所定の点灯状態の制御を開始するとき及び制御を終了するときのそれぞれでスイッチ部を操作する必要があった。一方、本実施の形態に係る照明システム１０では、点灯情報Ｃに繰り返し情報又は時間情報が含まれているので、点灯状態の開始及び終了をスイッチ部４０の１回の操作で制御可能である。
【０１１６】
なお、所定の時間は、例えば、制御部２２が計測してもよいし、タイマ部２３が計測してもよい。また、所定の繰り返し回数は、例えば、制御部２２が計測してもよい。
【０１１７】
なお、上記では照明器具３０がスケジュール情報に示される点灯状態を再現しているときにスイッチ部４０が押下された例について説明したが、これに限定されない。例えば、照明器具３０がスケジュール情報に基づいて点灯していないとき、例えば照明器具３０が消灯しているときにスイッチ部４０が押下されてもよい。この場合、制御部２２は、スイッチ部４０が押下されてから点灯情報Ｃが示す点灯状態を、点灯情報Ｃが示す時間又は繰り返し回数に達するまで継続し、点灯情報Ｃが示す時間又は繰り返し回数に達したのち、照明器具３０が消灯するように制御してもよい。
【０１１８】
［４．効果など］
以上説明したように、照明制御装置２０は、端末装置５０から送信された制御情報に基づいて照明器具３０の点灯状態を制御する照明制御装置２０であって、照明器具３０の点灯状態を遠隔操作するスイッチ部４０（遠隔操作部の一例）からの操作を検知する検知部２１と、検知部２１の検知結果、及び、制御情報に基づいて照明器具３０の点灯状態を制御する制御部２２と、を備える。制御情報には、スイッチ部４０に対応した、照明器具３０の点灯状態を示すシーン情報（第１シーン情報の一例）及び２以上のシーン情報が組み合わされたスライドショー情報（第１スライドショー情報の一例）の少なくとも一方、並びに、当該シーン情報及び当該スライドショー情報の少なくとも一方が示す点灯状態の再現に関する時間情報及び繰り返し情報の一方が含まれており、制御部２２は、検知部２１がスイッチ部４０からの操作を検知した場合、時間情報が示す時間又は繰り返し情報が示す繰り返し回数に達するまで、スイッチ部４０に対応したシーン情報及びスライドショー情報の少なくとも一方が示す点灯状態を照明器具３０に再現させる制御（第１の制御の一例）を行う。
【０１１９】
これにより、制御部２２は、検知部２１がスイッチ部４０の操作を検知した場合、制御情報（点灯情報Ｃ）に含まれるシーン情報又はスライドショー情報が示す点灯状態を照明器具３０に再現させるが、当該再現は制御情報に含まれる時間情報が示す時間又は繰り返し情報が示す繰り返し回数に達するまでのみ行われる。つまり、当該再現は、時間又は繰り返し回数に達すると自動的に終了される。ユーザは、スイッチ部４０を１回操作する（例えば、スイッチ部４０を１回押下する）だけで、スイッチ部４０に対応したシーン情報又はスライドショー情報の再現の開始及び終了を制御することができる。言い換えると、ユーザはスイッチ部４０に対応したシーン情報又はスライドショー情報が示す点灯状態を終了させる場合、再度スイッチ部４０を操作しなくてもよい。よって、照明制御装置２０によれば、スイッチ部４０を用いて照明器具３０の点灯状態を制御する場合の利便性を向上させることができる。
【０１２０】
また、時間情報は、検知部２１がスイッチ部４０（遠隔操作部の一例）からの操作を検知してからシーン情報（第１シーン情報の一例）及びスライドショー情報（第１スライドショー情報の一例）の少なくとも一方が示す点灯状態を継続して再現する継続時間、又は、シーン情報及びスライドショー情報の少なくとも一方が示す点灯状態の再現を終了する終了時刻を含む。
【０１２１】
これにより、ユーザは、時間情報として点灯状態を継続して再現する継続時間又は点灯状態の再現を終了する終了時刻のうち、ユーザの意図にあった時間情報を設定することができる。つまり、さらに利便性を向上させることができる。
【０１２２】
また、制御情報には、シーン情報（第２シーン情報の一例）及び２以上のシーン情報が組み合わされたスライドショー情報（第２スライドショー情報の一例）の少なくとも一方と、当該シーン情報及び当該スライドショー情報の少なくとも一方が示す点灯状態の再現に関する時間情報とが対応付けられたスケジュール情報が含まれる。そして、制御部２２は、スケジュール情報が示す点灯状態を照明器具３０に再現させる制御（第２の制御の一例）を行っているときに、検知部２１がスイッチ部４０（遠隔操作部の一例）からの操作を検知した場合、スケジュール情報が示す点灯状態を照明器具３０再現させる制御に優先してスイッチ部４０に対応したシーン情報（第１シーン情報の一例）及びスライドショー情報（第１スライドショー情報の一例）の少なくとも一方が示す点灯状態を照明器具３０に再現させる制御を行う。
【０１２３】
これにより、照明器具３０がスケジュール情報に示される点灯状態を再現しているときにスイッチ部４０が操作された場合、スイッチ部４０に対応したシーン情報又はスライドショー情報が示す点灯状態が優先して再現される。つまり、スケジュール情報に基づいて照明器具３０が点灯している場合であっても、ユーザはスイッチ部４０を操作することで、ユーザの意図にあった点灯状態を再現することができる。
【０１２４】
また、以上説明したように、照明システム１０は、端末装置５０と、照明器具３０と、端末装置５０から送信された制御情報に基づいて照明器具３０の点灯状態を制御する照明制御装置２０と、を備える。
【０１２５】
これにより、照明制御装置２０の検知部２１がスイッチ部４０の操作を検知した場合、制御部２２は制御情報（点灯情報Ｃ）に含まれるシーン情報又はスライドショー情報が示す点灯状態を照明器具３０に再現させるが、当該再現は制御情報に含まれる時間情報が示す時間又は繰り返し情報が示す繰り返し回数に達するまでのみ行われる。つまり、当該再現は、時間又は繰り返し回数に達すると自動的に終了される。ユーザは、スイッチ部４０を１回操作する（例えば、スイッチ部４０を１回押下する）だけで、スイッチ部４０に対応したシーン情報又はスライドショー情報の再現の開始及び終了を制御することができる。言い換えると、ユーザはスイッチ部４０に対応したシーン情報又はスライドショー情報が示す点灯状態を終了させる場合、再度スイッチ部４０を操作しなくてもよい。よって、照明システム１０によれば、スイッチ部４０を用いて照明器具３０の点灯状態を制御する場合の利便性を向上させることができる。
【０１２６】
また、照明システム１０は、複数の照明器具３０を備え、複数の照明器具３０は、端末装置５０により予め２以上のグループにグルーピングされており、制御情報には、スイッチ部４０（遠隔操作部の一例）が点灯状態を操作する対象であるグループに関する情報が含まれており、制御部２２は、検知部２１がスイッチ部４０からの操作を検知した場合、制御情報に含まれるグループに関する情報が示すグループに含まれる照明器具３０の点灯状態を制御する。
【０１２７】
これにより、照明システム１０が複数の照明器具３０を備えている場合、複数の照明器具３０のうちの制御情報が有するグループ情報に含まれる照明器具３０のみの点灯状態を、スイッチ部４０を操作することで制御できる。つまり、複数の照明器具３０が照らす空間のうちの所定の空間のみを制御情報が示す点灯状態で照らすことができるので、空間の演出効果が向上する。
【０１２８】
（その他の実施の形態）
以上、実施の形態に係る照明制御装置、及び、当該照明制御装置を備える照明システムについて説明したが、本発明は、上記実施の形態に限定されるものではない。
【０１２９】
例えば、上記実施の形態では、照明制御装置は、照明器具とは別体の装置として実現されたが、照明制御装置は、照明器具に内蔵されていてもよい。つまり、照明器具の一部として実現されてもよい。
【０１３０】
また、上記実施の形態では、照明システムが備える複数の照明器具は同一の構成である例について説明したが、これに限定されない。照明システムが備える複数の照明器具の構成は、異なっていてもよい。例えば、実施の形態で説明した複数の照明器具は無線通信部を有していない例を示したが、実施の形態で説明した複数の照明器具のうちの一部又は全ての照明器具は無線通信部を有していてもよい。
【０１３１】
また、上記実施の形態では、点灯情報にグループに関する情報が含まれる例について説明したが、これに限定されない。例えば、照明システムが備える照明器具が１台である場合、又は照明システムが備える全ての照明器具を一括で制御する場合、点灯情報にグループに関する情報は含まれなくてもよい。つまり、スイッチ部の操作を検知すると、照明制御装置は照明システムが備える照明器具を一括で制御してもよい。
【０１３２】
また、上記実施の形態では、再現されるシーン情報とシーン情報との変わり目、及び、シーン情報とスライドショー情報との変わり目において、すぐに次のシーン情報又はスライドショー情報が示す点灯状態に切り替えられる（遷移する）例について説明したが、これに限定されない。例えば、上述した変わり目において、次のシーン情報又はスライドショー情報が示す点灯状態に向けて時間とともに段階的にシーン情報が切り替えられてもよい。つまり、上述した変わり目において、フェード時間が設定されてもよい。
【０１３３】
また、上記実施の形態では、シーン情報に調光率及び色温度が含まれる例について説明したが、シーン情報には調光率及び色温度の少なくとも一方が含まれていればよい。
【０１３４】
また、照明制御装置はシーン情報、スライドショー情報、スケジュール情報及び点灯情報を含む制御情報を端末装置から取得する例について説明したが、照明制御装置は入力部を有しており当該入力部を介してユーザから制御情報を取得してもよい。入力部とは、例えば、ＤＩＰ（Ｄｕａｌ  Ｉｎ−ｌｉｎｅ  Ｐａｃｋａｇｅ）スイッチ、ロータリースイッチ、もしくは、テンキースイッチなどのハードウェアスイッチ（ハードウェアボタン）、または、タッチパネルなどにより実現される。また、照明制御装置は、制御部の制御に基づいて、入力部によるユーザの制御情報の入力を補助するために必要な文字、数値、または記号を表示する表示部を有してもよい。表示部は、静止画または動画などの画像を表示してもよい。表示部は、例えば、ＬＣＤ（Ｌｉｑｕｉｄ  Ｃｒｙｓｔａｌ  Ｄｉｓｐｌａｙ）または有機ＥＬ（Ｅｌｅｃｔｒｏ  Ｌｕｍｉｎｅｓｃｅｎｃｅ）パネルなどにより形成された表示パネルと、その駆動回路などからなる。
【０１３５】
また、上記実施の形態では、シーン情報、スライドショー情報、スケジュール情報、及び、グループ情報が予め照明制御装置の記憶部に記憶されており、端末装置を用いて点灯情報を生成する例について説明したが、これに限定されない。例えば、ユーザは、点灯情報を生成するときに、シーン情報、スライドショー情報、スケジュール情報、及び、グループ情報を生成してもよい。
【０１３６】
また、上記実施の形態では、照明制御装置と端末装置との間の通信は、無線通信である例について説明したが、これに限定されない。例えば、無線通信に代えて、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信など、有線通信が行われてもよい。
【０１３７】
また、上記実施の形態では、照明システムは、時間の経過とともに複数の照明器具の調光及び調色を変化させるスケジュール機能を有する例について説明したが、これに限定されない。照明器具システムは、スケジュール機能を有していなくてもよい。
【０１３８】
また、上記実施の形態において説明された端末装置及び照明制御装置の動作における複数の処理の順序は一例である。複数の処理の順序は、変更されてもよいし、複数の処理は、並行して実行されてもよい。
【０１３９】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１４０】
１０    照明システム
２０    照明制御装置
２１    検知部
２２    制御部
３０、３０ａ、３０ｂ、３０ｃ、３０ｄ、３０ｅ、３０ｆ    照明器具
４０    スイッチ部（遠隔操作部）
５０    端末装置
Ｃ    点灯情報（制御情報）
【図１】
2018163780.tif 000003
【図２】
2018163780.tif 000004
【図３】
2018163780.tif 000005
【図４】
2018163780.tif 000006
【図５】
2018163780.tif 000007
【図６】
2018163780.tif 000008
【図７】
2018163780.tif 000009
【図８Ａ】
2018163780.tif 000010
【図８Ｂ】
2018163780.tif 000011